(57)【要約】【課題】  受光素子の取付位置調整が簡易かつ安定的に行うことができる構成を備えた光ヘッド装置を提供すること。【解決手段】  光ヘッド装置１は、第１及び第２のレーザ発光素子３１、３２と、光ディスク２での反射光を受光する受光面７ａを有する受光素子７と、受光面７ａへ反射光を導く導光ミラー２１とを備え、受光面７ａは、対物レンズ９に対する反射光の入射方向を向くように配設されている。受光素子７は受光面７ａと平行にＸ方向とＹ方向との２次元方向で取付位置調整可能に配設され、導光ミラー２１は受光面７ａと平行にＸ方向の１次元方向で取付位置調整可能に配設されている。【選択図】      図４
2006053960.tif 000002
【特許請求の範囲】
【請求項１】
レーザ発光素子と、該レーザ発光素子から出射されたレーザ光を光ディスクへ集光させる対物レンズと、前記光ディスクでの反射光を受光する受光面を有する受光素子と、前記受光面へ前記反射光を導く導光ミラーと、少なくとも前記受光素子と前記導光ミラーとが載置される本体フレームとを備え、前記受光面が、前記対物レンズに対する前記反射光の入射方向を向くように配設された光ヘッド装置において、
前記受光素子及び前記導光ミラーのいずれか一方は前記受光面と平行に２次元方向で取付位置調整可能に配設され、いずれか他方は前記受光面と平行に１次元方向で取付位置調整可能に配設されていることを特徴とする光ヘッド装置。
【請求項２】
前記本体フレームは、前記光ディスクに対向する上面側から取付位置調整可能に前記受光素子が載置される受光素子載置部と、前記上面側に対して反対側となる底面側から取付位置調整可能に前記導光ミラーが載置される導光ミラー載置部を備えることを特徴とする請求項１記載の光ヘッド装置。
【請求項３】
前記光ヘッド装置はさらに、前記導光ミラーが載置されるミラーホルダを備え、該ミラーホルダは前記受光素子の前記受光面側に載置され、
前記本体フレームは、前記光ディスクに対向する上面側に対して反対側となる底面側から取付位置調整可能に前記受光素子が載置される受光素子載置部を備えることを特徴とする請求項１記載の光ヘッド装置。
【請求項４】
レーザ発光素子と、該レーザ発光素子から出射されたレーザ光を光ディスクへ集光させる対物レンズと、前記光ディスクでの反射光を受光する受光面を有する受光素子と、前記受光面へ前記反射光を導く導光ミラーと、少なくとも前記受光素子と前記導光ミラーとが載置される本体フレームとを備え、前記受光面が、前記対物レンズに対する前記反射光の入射方向を向くように配設された光ヘッド装置の調整方法において、
前記受光素子及び前記導光ミラーのいずれか一方は前記受光面と平行に２次元方向で取付位置調整され、いずれか他方は前記受光面と平行に１次元方向で取付位置調整されることを特徴とする光ヘッド装置の調整方法。
【請求項５】
前記本体フレームは、前記光ディスクに対向する上面側から取付位置調整可能に前記受光素子が載置される受光素子載置部と、前記上面側に対して反対側となる底面側から取付位置調整可能に前記導光ミラーが載置される導光ミラー載置部を備え、
前記受光素子が前記上面側から取付位置調整され、前記導光ミラーが前記底面側から取付位置調整されることを特徴とする請求項４記載の光ヘッド装置の調整方法。
【請求項６】
前記光ヘッド装置はさらに、前記導光ミラーが載置されるミラーホルダを備え、該ミラーホルダは、前記受光素子の前記受光面側に載置され、
前記本体フレームは、前記光ディスクに対向する上面側に対して反対側となる底面側から取付位置調整可能に前記受光素子が載置される受光素子載置部を備え、
前記受光素子と前記導光ミラーとがともに、前記底面側から取付位置調整されることを特徴とする請求項４記載の光ヘッド装置の調整方法。
【請求項７】
レーザ発光素子と、該レーザ発光素子から出射されたレーザ光を光ディスクへ集光させる対物レンズと、前記光ディスクでの反射光を受光する受光面を有する受光素子と、前記受光面へ前記反射光を導く導光ミラーと、少なくとも前記受光素子と前記導光ミラーとが載置される本体フレームとを備え、前記受光面が、前記対物レンズに対する前記反射光の入射方向を向くように配設された光ヘッド装置の調整方法において、
前記受光素子及び前記導光ミラーの取付位置調整時には、前記光ディスクに換えてレーザ光を反射する反射面を備えた擬似ディスクを用いることを特徴とする光ヘッド装置の調整方法。
【発明の詳細な説明】
【技術分野】
【０００１】
本発明は、ＣＤやＤＶＤなどの光ディスクの記録、再生を行う光ヘッド装置及び光ヘッド装置の調整方法に関するものである。さらに詳しくは、光ヘッド装置に搭載される受光素子の取付位置調整機構及び取付位置調整方法に関するものである。
【背景技術】
【０００２】
ＣＤやＤＶＤ等の光ディスクの記録、再生を行う光ヘッド装置は、レーザ発光素子、レーザ発光素子から出射されたレーザ光を光ディスクへ集光させる対物レンズ、対物レンズに向かってレーザ光を立ち上げる立上げミラー、光ディスクでの反射光を受光する受光面を有する受光素子、及び、レーザ発光素子や受光素子や所定の光学系等が載置される本体フレームなどを備えている。この種の光ヘッド装置としては、受光素子の受光面へ反射光を導く導光ミラーを備え、受光素子が光ディスクに対向する上面側に配設された光ヘッド装置が知られている（例えば、特許文献１参照）。
【０００３】
特許文献１に開示された光ヘッド装置では、受光素子が光ディスクに対向する上面側に配設されているため、言い換えると、受光素子は、その受光面が対物レンズに対する反射光の入射方向（下方向）を向くように配設されているため、導光ミラーによって受光素子の受光面に導かれる光ディスクからの反射光は、立上げミラーで光ディスクのディスク面に対して平行に偏向され、本体フレームの底面側を通過するようになっている。そのため、受光素子の受光面が上方向を向くように配設された光ヘッド装置に比べ、対物レンズを本体フレームの底面側に近づけて配設することができ、光ヘッド装置の薄型化を図ることが可能になっている。
【０００４】
また、受光素子は一般に、厚さ方向寸法と比較して厚さ方向に直交する方向の外形寸法が大きい扁平形状をしていることから、特許文献１に記載された光ヘッド装置は、受光素子の受光面が対物レンズに対する反射光の入射方向と平行に配設された光ヘッド装置、すなわち、側面に受光素子が配設された光ヘッド装置に比べても、薄型化を図ることができるようになっている。
【０００５】
ここで、特許文献１に開示された光ヘッド装置では、受光素子の取付位置の調整は、光ディスクを回転駆動させた状態でレーザ発光素子からレーザ光を出射し、光ディスクからの反射光を読みながら行われる。光ディスクを回転させた状態では、上面側から受光素子にアクセスすることができないため、特許文献１に開示された光ヘッド装置では、本体フレームの２箇所に貫通孔が形成され、この貫通孔を利用して受光素子の取付位置の調整が行われる。具体的には、本体フレームの底面側から貫通孔に挿通された２本の調整ピンによって、本体フレームに仮固定された受光素子自体を３次元方向に調整している。そして、３次元調整された受光素子は、３次元接着で本体フレームに固定される。
【特許文献１】特開２００３−２７２２２０号公報
【発明の開示】
【発明が解決しようとする課題】
【０００６】
特許文献１に開示された光ヘッド装置は、上述のように、受光素子の受光面が下方向を向くように配設されていることから、装置の薄型化を図ることができるという利点がある。しかしながら、受光素子の取付位置調整は、本体フレームに形成された貫通孔を利用して、受光素子自体を３次元調整することで行われているため、以下の問題を生じる。
【０００７】
まず、受光素子自体を３次元方向に調整しているため、調整時間がかかるとともに、調整が安定しないといった問題がある。また、受光素子を３次元接着で本体フレームに固定しているため、温度変動により受光素子の取付位置が変動しやすく信頼性が低くなるといった問題もある。
【０００８】
さらに、本体フレームの底面側から調整ピンを貫通孔に挿通させ、上面側に配設された受光素子の調整を行っているため、調整ピンの長さが必要となるとともに、２本の調整ピンで受光素子の調整を行っているため２点支持となり、調整作業が安定しないといった問題がある。また、調整ピンを貫通孔に挿通させた状態で調整作業をするため、及び本体フレームの上面側には光ディスクがあって受光素子の調整部分を目視で確認することができないため、調整作業の作業性が悪くなるといった問題もある。
【０００９】
そこで、本発明の課題は、受光素子の取付位置調整が簡易かつ安定的に行うことができる構成を備えた光ヘッド装置を提供することにある。また、受光素子の取付位置を簡易かつ安定的に調整することができる光ヘッド装置の調整方法を提供することにある。
【課題を解決するための手段】
【００１０】
上記の課題を解決するため、本発明は、レーザ発光素子と、該レーザ発光素子から出射されたレーザ光を光ディスクへ集光させる対物レンズと、前記光ディスクでの反射光を受光する受光面を有する受光素子と、前記受光面へ前記反射光を導く導光ミラーと、少なくとも前記受光素子と前記導光ミラーとが載置される本体フレームとを備え、前記受光面が、前記対物レンズに対する前記反射光の入射方向を向くように配設された光ヘッド装置において、前記受光素子及び前記導光ミラーのいずれか一方は前記受光面と平行に２次元方向で取付位置調整可能に配設され、いずれか他方は前記受光面と平行に１次元方向で取付位置調整可能に配設されていることを特徴とする。
【００１１】
本発明では、受光素子及び導光ミラーのいずれか一方が受光素子の受光面と平行に２次元方向で取付位置調整可能に配設され、いずれか他方が受光素子の受光面と平行に１次元方向で取付位置調整可能に配設されている。そのため、受光素子の取付位置調整を、受光素子自体あるいは導光ミラーの２次元調整と、導光ミラーあるいは受光素子の１次元調整とによって、受光素子自体の取付位置を３次元的に調整したのと同様に行うことができる。従って、受光素子自体を３次元方向に調整する場合と比較して、簡易な方法で安定した受光素子の取付位置の調整が可能となる。
【００１２】
ここで、導光ミラーに換えて、光ディスクでの反射光を受光素子に導く光路上に配設された他の光学部品、例えば、センサレンズを２次元調整あるいは１次元調整することで、受光素子自体の取付位置を３次元的に調整したのと同様の調整を行うことも可能である。しかし、センサレンズといった光学部品を調整すると受光素子への集光性能が変動するといった問題が生じる。一方で、導光ミラーは、光ディスクからの反射光を偏向させるだけでよいため、取付位置調整しても受光素子への集光性能が変動するといった問題は生じることはなく、安定した集光性能を確保することができ、受光素子の取付位置調整が安定する。また、取付位置調整可能とするためには、調整する部品をある程度大きく形成することが必要になるが、導光ミラーは比較的簡単な構成であるため、複雑な構成を有するレンズ等の光学部品に比べて設計、製造が容易になり、部品コストを低減することができる。
【００１３】
本発明において、前記本体フレームは、前記光ディスクに対向する上面側から取付位置調整可能に前記受光素子が載置される受光素子載置部と、前記上面側に対して反対側となる底面側から取付位置調整可能に前記導光ミラーが載置される導光ミラー載置部を備えるように光ヘッド装置を構成することができる。この場合には、本体フレームの上面側から受光素子の取付位置調整ができ、本体フレームの底面側から導光ミラーの取付位置調整ができる。すなわち、受光素子と導光ミラーとを異なる方向から個別に調整することができるため、調整作業の作業性が向上する。
【００１４】
本発明において、前記光ヘッド装置はさらに、前記導光ミラーが載置されるミラーホルダを備え、該ミラーホルダは前記受光素子の前記受光面側に載置され、前記本体フレームは、前記光ディスクに対向する上面側に対して反対側となる底面側から取付位置調整可能に前記受光素子が載置される受光素子載置部を備えるように光ヘッド装置を構成することもできる。すなわち、ミラーホルダに載置された導光ミラーを受光素子上で１次元調整することもできる。
【００１５】
また、上記の課題を解決するため、本発明は、レーザ発光素子と、該レーザ発光素子から出射されたレーザ光を光ディスクへ集光させる対物レンズと、前記光ディスクでの反射光を受光する受光面を有する受光素子と、前記受光面へ前記反射光を導く導光ミラーと、少なくとも前記受光素子と前記導光ミラーとが載置される本体フレームとを備え、前記受光面が、前記対物レンズに対する前記反射光の入射方向を向くように配設された光ヘッド装置の調整方法において、前記受光素子及び前記導光ミラーのいずれか一方は前記受光面と平行に２次元方向で取付位置調整され、いずれか他方は前記受光面と平行に１次元方向で取付位置調整されることを特徴とする。
【００１６】
本発明では、受光素子及び導光ミラーのいずれか一方は受光面と平行に２次元方向で取付位置調整され、いずれか他方が受光面と平行に１次元方向で取付位置調整されているため、受光素子の取付位置調整を、受光素子自体あるいは導光ミラーの２次元調整と、導光ミラーあるいは受光素子の１次元調整とによって、受光素子自体の取付位置を３次元的に調整したのと同様に行うことができる。従って、受光素子自体を３次元方向に調整する場合と比較して、簡易な方法で安定した受光素子の取付位置の調整が可能となる。また、導光ミラー以外の光学部品を調整する場合と比較して、受光素子へ集光性能を安定させ、受光素子の取付位置の調整を容易にすることができる。さらに、導光ミラー以外の光学部品を１次元調整する場合と比較して、部品コストを低減することができる。
【００１７】
本発明の光ヘッド装置の調整方法では、前記本体フレームは、前記光ディスクに対向する上面側から取付位置調整可能に前記受光素子が載置される受光素子載置部と、前記上面側に対して反対側となる底面側から取付位置調整可能に前記導光ミラーが載置される導光ミラー載置部を備え、前記受光素子が前記上面側から取付位置調整され、前記導光ミラーが前記底面側から取付位置調整されるようにすることができる。この場合には、受光素子と導光ミラーとを異なる方向から個別に調整することができるため、調整作業の作業性が向上する。
【００１８】
本発明の光ヘッド装置の調整方法では、また、前記光ヘッド装置はさらに、前記導光ミラーが載置されるミラーホルダを備え、該ミラーホルダは、前記受光素子の前記受光面側に載置され、前記本体フレームは、前記光ディスクに対向する上面側に対して反対側となる底面側から取付位置調整可能に前記受光素子が載置される受光素子載置部を備え、前記受光素子と前記導光ミラーとがともに、前記底面側から取付位置調整されるようにすることもできる。
【００１９】
さらに、本発明は、レーザ発光素子と、該レーザ発光素子から出射されたレーザ光を光ディスクへ集光させる対物レンズと、前記光ディスクでの反射光を受光する受光面を有する受光素子と、前記受光面へ前記反射光を導く導光ミラーと、少なくとも前記受光素子と前記導光ミラーとが載置される本体フレームとを備え、前記受光面が、前記対物レンズに対する前記反射光の入射方向を向くように配設された光ヘッド装置の調整方法において、前記受光素子及び前記導光ミラーの取付位置調整時には、前記光ディスクに換えてレーザ光を反射する反射面を備えた擬似ディスクを用いることを特徴とする。
【００２０】
ここで、本明細書において「擬似ディスク」とは、レーザ光を反射する反射面を備え、本体フレーム上面から受光素子の取付位置調整行う際に障害とならない程度の小型のディスクをいうものとする。
【００２１】
本発明では、受光素子及び導光ミラーの取付位置調整時に、光ディスクに換えてレーザ光を反射する反射面を備えた擬似ディスクを用いている。擬似ディスクは例えば、対物レンズから出射光軸上に配置されるミラーであり、レーザ光を反射する反射面を備えていれば良いため、光ディスクに比べ小型のものを用いることができる。そのため、擬似ディスクを用いた場合には、本体フレーム上面から受光素子へアクセスすることができる。また、受光素子の調整部分を目視で確認することができる。従って、受光素子の取付位置調整が容易になり、取付作業の作業性が向上する。ここで、擬似ディスクを用いるためには、擬似ディスクのフォーカシング方向の取付精度を十分に確保しておく必要がある。また、擬似ディスクのフォーカシング方向の取付精度を十分に確保できない場合には、対物レンズに換えて対物レンズよりも焦点深度の大きい調整用レンズを用いてやれば、擬似ディスクの使用は可能となる。
【発明の効果】
【００２２】
以上のように本発明にかかる光ヘッド装置では、受光素子及び導光ミラーのいずれか一方が２次元方向で取付位置調整可能に配設され、いずれか他方が１次元方向で取付位置調整可能に配設されているため、受光素子の取付位置調整を、受光素子自体あるいは導光ミラーの２次元調整と、導光ミラーあるいは受光素子の１次元調整とによって、受光素子自体の取付位置を３次元的に調整したのと同様に行うことができる。そのため、受光素子自体を３次元方向に調整する場合と比較して、簡易な方法で安定した受光素子の取付位置の調整が可能となる構成を備えた光ヘッド装置の提供が可能となる。
【００２３】
また、本発明にかかる光ヘッド装置の調整方法では、受光素子及び導光ミラーのいずれか一方は２次元方向で取付位置調整され、いずれか他方が１次元方向で取付位置調整されているため、受光素子自体の取付位置を３次元的に調整したのと同様に、受光素子の取付位置を調整することができる。従って、受光素子自体を３次元方向に調整する場合と比較して、簡易な方法で安定した受光素子の取付位置の調整が可能となる。
【００２４】
さらに、本発明にかかる光ヘッド装置の調整方法では、受光素子及び導光ミラーの取付位置調整時に、光ディスクに換えて、光ディスクよりも小型の擬似ディスクを用いている。そのため、本体フレーム上面から受光素子へアクセスすることができ、また、受光素子の調整部分を目視で確認することができる。従って、受光素子の取付位置調整が容易になり、受光素子の取付位置調整を簡易かつ安定的に行うことができるようになる。
【発明を実施するための最良の形態】
【００２５】
以下、本発明を実施するための最良の形態を図面に基づいて説明する。
【００２６】
［実施の形態１］
（光ヘッド装置の概略構成）
図１は、本発明の実施の形態１にかかる光ヘッド装置の概略構成を模式的に示す概略構成図である。図２は、図１に示す光ヘッド装置を上面側から見たときの斜示図である。図３は、図１に示す光ヘッド装置の底面図である。図４は、図１に示す光ヘッド装置の受光素子及び導光ミラーの取付部を拡大して示す側面図である。
【００２７】
本形態における光ヘッド装置１は、ＣＤあるいはＤＶＤなどの光ディスク２に対する情報記録、情報再生を行うものであり、光源としての第１及び第２のレーザ発光素子３１、３２からの出射されたレーザ光を光ディスク２に集光させる対物レンズ９をトラッキング方向、フォーカシング方向及びチルト方向へ駆動する対物レンズ駆動装置５と、この対物レンズ駆動装置５を上面側に保持するとともに、第１及び第２のレーザ発光素子３１、３２や後述する所定の光学系などが搭載された本体フレーム６とを有している。第１及び第２のレーザ発光素子３１、３２は、波長６５０ｎｍあるいは６３５ｎｍ（短波長）の第１のレーザ光を出射するＤＶＤ用のレーザ発光素子、及び波長７６０〜８００ｎｍ（長波長）の第２のレーザ光を出射するＣＤ用のレーザ発光素子である。
【００２８】
第１のレーザ発光素子３１から出射された第１のレーザ光は、光路合成素子としての偏光ビームスプリッタからなるプリズム１５により、光ディスク２に向かう共通光学経路１１に導かれ、対物レンズ９により光ディスク２の記録面に集光するようになっている。第２のレーザ発光素子３２から出射された第２のレーザ光は、光路分離素子としてのハーフミラー１０及びプリズム１５により、共通光学経路１１に導かれ、対物レンズ９により光ディスク２の記録面に集光するようになっている。また、光ディスク２で反射されたレーザ光の戻り光（反射光）は、プリズム１５を介してハーフミラー１０に入射し、ハーフミラー１０で分離されて受光素子７の受光面７ａに導かれるようになっている
【００２９】
より具体的には、本体フレーム６上において、第１のレーザ発光素子３１から光ディスク２に向かう光路上には、リレーレンズ１２、１／２波長板１３、第１のグレーティングレンズ１４、プリズム１５、コリメータレンズ１８、立上げミラー１９、及び対物レンズ９がこの順に配置されている。従って、第１のレーザ発光素子３１から出射された第１のレーザ光は、リレーレンズ１２、１／２波長板１３、及び第１のグレーティングレンズ１４、プリズム１５を透過した後、コリメータレンズ１８で平行光化され、しかる後に、立上げミラー１９で上方に導かれ、対物レンズ９によって光ディスク２の記録面に光スポットとして集光するようになっている。
【００３０】
また、第２のレーザ発光素子３２から光ディスク２に向かう光路上には、第２のグレーティングレンズ１６、ハーフミラー１０、プリズム１５、コリメータレンズ１８、立上げミラー１９、及び対物レンズ９がこの順に配置されている。従って、第２のレーザ発光素子３２から出射された第２のレーザ光は、第２のグレーティングレンズ１６を透過した後、その一部がハーフミラー１０で部分反射し、さらにプリズム１５で反射された後、コリメータレンズ１８で平行光化され、しかる後に、立上げミラー１９で上方に導かれ、対物レンズ９によって光ディスク２の記録面に光スポットとして集光するようになっている。
【００３１】
さらに、光ディスク２での反射光は、上記とは反対の光路を辿り、対物レンズ９、立上げミラー１９、コリメータレンズ１８を経てプリズム１５に導かれた後、プリズム１５で反射され、ハーフミラー１０へ入射するようになっている。そして、ハーフミラー１０を透過した光は、センサレンズ２０を透過した後、導光ミラー２１により立ち上げられて受光素子７の受光面７ａに至るようになっている。
【００３２】
本体フレーム６は金属材料から形成され、光ディスク２に対向する上面６ａとこの上面６ａの反対面となる底面６ｂとを備えた扁平形状をしている。本体フレーム６の両端部には、丸穴からなるガイド穴６ｃ、６ｃと、コの字形状に突き出したガイド部６ｄとが形成され、これらのガイド穴６ｃ、６ｃ及びガイド部６ｄの各々に通されたガイド軸（図示省略）に沿って、光ヘッド装置１は、光ディスク２の半径方向に移動することができるようになっている。また、本体フレーム６は、上面６ａ側に凹状に形成された受光素子載置部６ｅを備えるとともに、底面６ｂ側に凹状に形成された導光ミラー載置部６ｆを備えている（図４参照）。
【００３３】
この本体フレーム６には、第1及び第２のレーザ発光素子３１、３２、リレーレンズ１２、１／２波長板１３、第１のグレーティングレンズ１４、第２のグレーティングレンズ１６、プリズム１５、ハーフミラー１０、コリメータレンズ１８、立上げミラー１９、センサレンズ２０、導光ミラー２１及び受光素子７が載置されている。
【００３４】
受光素子載置部６ｅは載置面６ｅ１を備えており（図４参照）、この載置面６ｅ１上には、受光面７ａが対物レンズ９に対する反射光の入射方向、すなわち図４において図示下方向を向くように、受光素子７が配設されている。受光素子７は、上面６ａ側から取付位置調整可能になっている。また、光ディスク２のトラッキング方向をＸ方向、受光面７ａと平行でかつトラッキング方向に直交する方向をＹ方向とした場合、受光素子７は、受光面７ａと平行にＸ方向及びＹ方向の２次元方向に取付調整可能となっている。
【００３５】
導光ミラー載置部６ｆは載置面６ｆ１を備えている（図４参照）。この載置面６ｆ１には、受光面７ａに向かって反射光を立ち上げるように導光ミラー２１が配設されており、導光ミラー２１は、底面６ｂ側から取付位置調整可能となっている。また、導光ミラー２１は、受光面７ａと平行にＸ方向の１次元方向に取付調整可能となっている。尚、本形態における導光ミラー２１は、全反射ミラーである。
【００３６】
ここで、受光素子７は、その受光面７ａが下方向を向くように配設されているため、導光ミラー２１によって受光素子７の受光面７ａに導かれる光ディスク２からの反射光は、立上げミラー１９で光ディスク２のディスク面に対して略平行に偏向され、本体フレーム６の底面６ｂ側を通過するようになっている。
【００３７】
対物レンズ駆動装置５は、対物レンズ９を保持するレンズホルダ４０と、このレンズホルダ４０の左右両側で上下３段に配置された６本のワイヤ４１により、レンズホルダ４０をトラッキング方向、フォーカシング方向、及びチルト方向に変位可能に支持するホルダ支持部材４２と、対物レンズ駆動装置５のフレームを構成するヨーク４３とを備えている。ヨーク４３は、本体フレーム６の底面６ｂ側に取り付けられており、これによって、対物レンズ駆動装置５は、対物レンズ９が本体フレーム６の上面６ａ側に配置されるように、本体フレーム６に搭載されている。尚、支持部材４２は、本体フレーム６あるいはヨーク４３に固定支持されている。
【００３８】
対物レンズ駆動装置５は、レンズホルダ４０に取り付けられた駆動コイル及びヨーク４３に取り付けられた駆動マグネットから構成される磁気駆動回路４４を備え、駆動コイルに対する通電を制御することによりレンズホルダ４０に支持された対物レンズ９を光ディスク２に対してトラッキング方向、フォーカシング方向及びチルト方向に駆動することができるようになっている。
【００３９】
（受光素子の取付位置調整）
以上のように構成された光ヘッド装置１における受光素子７の取付位置調整の方法を以下に説明する。
【００４０】
受光素子７の取付位置調整には、光ディスク２に換えてレーザ光を反射する反射面を備えた擬似ディスク（図示省略）を用いる。擬似ディスクは例えば、対物レンズ９から出射光軸上に配置されるミラーであり、レーザ光を反射する反射面を備えている。擬似ディスクは、対物レンズ９から出射されたレーザ光を反射すれば足りることから、光ディスク２に比べ小型のものを用いることができ、本形態では、本体フレーム６の受光素子載置部６ｅを覆うことがないような小型の擬似ディスクを用いている。
【００４１】
ここで、対物レンズ９を用いて受光素子７の取付位置調整を行う場合、対物レンズ９の焦点深度は一般に小さいことから、擬似ディスクを用いるためには、擬似ディスクのフォーカシング方向の取付精度が要求される。そこで本形態では、対物レンズ駆動装置５が本体フレーム６に固定される前に、対物レンズ９に換えて対物レンズ９よりも焦点深度の大きい調整用レンズ（図示省略）を用いて、受光素子７の取付位置調整を行う。より具体的には、対物レンズ駆動装置５が本体フレーム６に固定される前の光ヘッド装置と、調整用レンズと、擬似ディスクとを所定の治具によって保持した状態で、受光素子７の取付位置調整を行う。尚、治具によって、擬似ディスクのフォーカシング方向の取付精度が十分に確保できる場合には、対物レンズ駆動装置５を本体フレーム６に搭載し、対物レンズ９を用いて受光素子７の取付位置調整を行っても良い。
【００４２】
対物レンズ駆動装置５が本体フレーム６に固定される前の光ヘッド装置と、調整用レンズと、擬似ディスクとを所定の治具によって保持した後、第１及び第２のレーザ発光素子３１、３２から順次レーザ光を出射して、擬似ディスクからの反射光を読みながら、受光素子７の取付位置調整を行う。
【００４３】
より具体的には、まず、受光素子７を所定の治具を用いて、載置面６ｅ１に沿って、受光面７ａと平行に２次元方向（Ｘ方向及びＹ方向）で位置調整して、受光面７ａに入射する反射光の光軸と受光面７ａの光軸とを合わせる。この位置調整は、本体フレーム６の上面６ａ側から行う。尚、擬似ディスクは、本体フレーム６の受光素子載置部６ｅを覆うことがないような小型のものであるから、この取付位置調整の際に、擬似ディスクが邪魔になることはない。また、受光素子７の調整部分を目視で確認することもできる。
【００４４】
続いて、導光ミラー２１を所定の治具を用いて、受光面７ａと平行に１次元方向（Ｘ方向）で位置調整する。この位置調整は、本体フレーム６の底面６ｂ側から行う。導光ミラー２１をＸ方向で位置すると、受光面７ａに至る反射光の光路長が変化する。例えば、図４に示すように、導光ミラー２１をＸ方向へΔＬだけ移動する場合（図４の実線で示した位置から破線で示した位置まで移動する場合）、受光面７ａに至る反射光の光路長がΔＬだけ変化する。従って、Ｘ方向及びＹ方向に直交する方向をＺ方向としたとき、導光ミラー２１をＸ方向に位置調整することで、受光素子７自体の取付位置をＺ方向に調整したのと同様の調整を行うことになる。
【００４５】
続いて、導光ミラー２１のＸ方向への移動分だけ、受光素子７をＸ方向に移動して、受光面７ａに入射する反射光の光軸と受光面７ａの光軸とを合わせる。これによって、受光素子７の取付位置の調整が完了する。
【００４６】
（本形態の主な効果）
以上説明したように、本形態の光ヘッド装置１では、受光素子７がその受光面７ａと平行に２次元方向で取付位置調整可能に配設され、導光ミラー２１が受光素子７の受光面７ａと平行に１次元方向で取付位置調整可能に配設されている。そのため、受光素子７の取付位置調整を、受光素子７自体の２次元調整と、導光ミラー２１の１次元調整とによって、受光素子７自体の取付位置を３次元的に調整したのと同様に行うことができる。従って、受光素子７自体を３次元方向に調整する場合と比較して、簡易な方法で安定した受光素子７の取付位置の調整が可能となる。
【００４７】
ここで、導光ミラー２１に換えて、光ディスク２での反射光を受光素子７に導く光路上に配設された他の光学部品、例えば、センサレンズ２０を１次元調整することで、受光素子７自体の取付位置を３次元的に調整したのと同様の調整を行うことも可能である。しかし、センサレンズ２０といった光学部品を１次元調整すると受光素子７への集光性能が変動するといった問題が生じる。一方で、導光ミラー２１は全反射ミラーであることから、取付位置調整しても受光素子７への集光性能が変動するといった問題は生じることはなく、安定した集光性能を確保することができ、受光素子７の取付位置調整も安定する。また、取付位置調整可能とするためには、調整する部品をある程度大きく形成することが必要になるが、導光ミラー２１は比較的簡単な構成であるため、複雑な構成を有するセンサレンズ２０等の光学部品に比べて設計、製造が容易になり、部品コストを低減することができる。
【００４８】
本形態では、本体フレーム６が、上面６ａ側から取付位置調整可能に受光素子７が載置される受光素子載置部６ｅと、底面６ｂ側から取付位置調整可能に導光ミラー２１が載置される導光ミラー載置部６ｆを備えている。そのため、本体フレーム６の上面６ａ側から受光素子７の取付位置調整ができ、本体フレーム６の底面６ｂ側から導光ミラー２１の取付位置調整ができる。すなわち、受光素子７と導光ミラー２１とを異なる方向から個別に調整することができるため、調整作業の作業性が向上する。
【００４９】
特に本形態では、受光素子７及び導光ミラー２１の取付位置調整時に、光ディスク２に換えて擬似ディスクを用いている。擬似ディスクは、本体フレーム６の受光素子載置部６ｅを覆うことがないような小型のものであるから、本体フレーム６の上面６ａ側から受光素子７へ容易にアクセスすることができる。また、受光素子７の調整部分を目視で確認することができる。従って、受光素子７の取付位置調整が容易になり、取付作業の作業性が向上する。
【００５０】
また、本形態では、対物レンズ駆動装置５が本体フレーム６に固定される前に、対物レンズ９に換えて対物レンズ９よりも焦点深度の大きい調整用レンズを用いて、受光素子７の取付位置調整を行っている。そのため、擬似ディスクのフォーカシング方向の取付精度が十分に確保できない場合であっても、擬似ディスクを用いて受光素子７の取付位置調整を行うことができる。
【００５１】
［実施の形態２］
図５は、本発明の実施の形態２にかかる光ヘッド装置を上面側から見たときの斜示図である。図６は、図５に示す光ヘッド装置を底面側からみたときの斜視図である。図７は、図５に示す光ヘッド装置の第２フレーム上に光学系が載置された状態を底面側から示す斜示図である。
【００５２】
図５に示す光ヘッド装置５１も、ＣＤあるいはＤＶＤなどの光ディスク２に対する情報記録、情報再生を行うものである。実施の形態１にかかる光ヘッド装置１と本形態の光ヘッド装置５１との主な相違点は、本体フレーム６の構成及び光学系の載置部の構成である。光ヘッド装置１と光ヘッド装置５１とでは、光学系を含めた基本的構成は同じであるため、同一の構成には同一の符号を付してその構成の説明は省略し、以下においては、相違点を中心に本形態の光ヘッド装置５１を説明する。
【００５３】
本形態の光ヘッド装置５１の光学系は、第１及び第２のレーザ発光素子３１、３２の出力を調整するためのモニタ用受光素子２３を備えている点が上述した光ヘッド装置１の光学系とは相違する。このモニタ用受光素子２３は、第１のレーザ発光素子３１から出射されプリズム１５で部分反射された第１のレーザ光を受光し、かつ、第２のレーザ発光素子３２から出射されプリズム１５を部分透過した第２のレーザ光を受光する位置に配設されている（図７参照）。
【００５４】
本体フレーム６は本形態では、樹脂製の第１フレーム６１と金属製の第２フレーム６２とから構成されている。第２フレーム６２は、本体フレーム６の上面６ａ側でかつ、対物レンズ９とガイド部６ｄとの間で、第１フレーム６１に固定されている。
【００５５】
第１フレーム６１の両端部には、丸穴からなるガイド穴６ｃ、６ｃと、コの字形状に突き出したガイド部６ｄとが形成され、これらのガイド穴６ｃ、６ｃ及びガイド部６ｄの各々に通されたガイド軸（図示省略）に沿って、光ヘッド装置５１は、光ディスク２の半径方向に移動することができるようになっている。また、第１フレーム６１には、底面６ｂ側から受光素子７の取付位置調整が可能となるように開口６１ｅが形成されている（図６参照）。
【００５６】
第２フレーム６２は、薄鋼板等の熱伝導率の高い金属製の平板部材であり、受光素子７が載置される載置面６２ｅが凹状に形成されている。この載置面６２ｅと第１フレーム６１に形成された開口６１ｅとによって、受光素子７が載置される受光素子載置部が構成されている。尚、第２フレーム６２は亜鉛ダイキャストで形成しても良い。
【００５７】
この第２フレーム６２には、第1及び第２のレーザ発光素子３１、３２、リレーレンズ１２、１／２波長板１３、第１のグレーティングレンズ１４、第２のグレーティングレンズ１６、プリズム１５、ハーフミラー１０、コリメータレンズ１８、モニタ用受光素子２３、センサレンズ２０、導光ミラー２１及び受光素子７が載置されている。また、第２フレーム６２には、第１及び第２のレーザ発光素子３１、３２を駆動するドライバー３５及び、第1及び第２のレーザ発光素子３１、３２用高周波電流重畳ＩＣ３６が載置されている。尚、立上げミラー１９は、第１フレーム６１に載置されている。
【００５８】
載置面６２ｅ上には、受光面７ａが対物レンズ９に対する反射光の入射方向（図７における上方向）を向くように、受光素子７が配設されている。受光素子７は、載置面６２ｅ上に沿って、底面６ｂ側から取付位置調整可能になっている。また、光ディスク２のトラッキング方向をＸ方向、受光面７ａと平行でかつトラッキング方向に直交する方向をＹ方向とした場合、受光素子７は、受光面７ａと平行にＸ方向及びＹ方向の２次元方向に取付調整可能となっている。
【００５９】
受光素子７の受光面７ａには、導光ミラー２１が載置されるミラーホルダ２６が載置されている。ミラーホルダ２６には、受光面７ａに向かって反射光を立ち上げるように導光ミラー２１が配設されており、この導光ミラー２１は、ミラーホルダ２６を介して、受光面７ａに沿って、Ｘ方向の１次元方向に取付調整可能となっている。また、導光ミラー２１は、ミラーホルダ２６を介して底面６ｂ側から取付位置調整可能となっている。
【００６０】
このように、構成された光ヘッド装置５１においても、擬似ディスク及び調整用レンズを用いて受光素子７の取付位置調整を行う。すなわち、対物レンズ駆動装置５が本体フレーム６に固定される前の光ヘッド装置と、調整用レンズと、擬似ディスクとを所定の治具によって保持した状態で、第１及び第２のレーザ発光素子３１、３２から順次レーザ光を出射して、擬似ディスクからの反射光を読みながら、受光素子７の取付位置調整を行う。
【００６１】
より具体的には、受光素子７を所定の治具を用いて、載置面６２ｅに沿って、受光面７ａと平行に２次元方向（Ｘ方向及びＹ方向）で位置調整しつつ、受光面７ａ上に沿って、ミラーホルダ２６を所定の治具を用いて受光面７ａと平行に１次元方向（Ｘ方向）で位置調整して、受光面７ａに入射する反射光の光軸と受光面７ａの光軸とを合わせるとともに、受光面７ａに至る反射光の光路長を調整する。この位置調整は、本体フレーム６の底面６ｂ側から行う。
【００６２】
以上説明したように、本形態の光ヘッド装置５１においても、受光素子７がその受光面７ａと平行に２次元方向で取付位置調整可能に配設され、導光ミラー２１が受光素子７の受光面７ａと平行に１次元方向で取付位置調整可能に配設されている。そのため、受光素子７の取付位置調整を、受光素子７自体の２次元調整と、導光ミラー２１の１次元調整とによって、受光素子７自体の取付位置を３次元的に調整したのと同様に行うことができる。従って、受光素子７自体を３次元方向に調整する場合と比較して、簡易な方法で安定した受光素子７の取付位置の調整が可能となる。
【００６３】
［他の実施の形態］
上述した形態は、本発明の好適な形態の一例ではあるが、これに限定されるものではなく本発明の要旨を変更しない範囲において種々変形可能である。例えば、上述した形態では、受光素子７がその受光面７ａと平行に２次元方向で取付位置可能に配設され、導光ミラー２１が受光面７ａと平行に１次元方向で取付位置可能に配設されていたが、導光ミラー２１が受光面７ａと平行に２次元方向で取付位置可能に配設され、受光素子７が受光面７ａと平行に１次元方向で取付位置可能に配設されていても良い。
【００６４】
また、上述した実施の形態２においては、所定の光学系等が載置された第２フレーム６２を光学系ユニットとして、この光学系ユニットを、調整用レンズ及び擬似ディスクとともに所定の治具で保持して、受光素子７の取付位置調整を行っても良い。この場合には、第２フレーム６２を第１フレーム６１に固定した後の受光素子７の取付位置調整が不要となる。すなわち、受光素子７の取付位置調整時に障害となる第１フレーム６１がない状態で、受光素子７の取付位置調整が完了するため、受光素子７の取付位置の調整作業が容易になる。
【００６５】
さらに、上述した実施の形態２のように、本体フレーム６の底面６ｂ側から受光素子７の取付位置調整を行う場合には、必ずしも、擬似ディスクを用いる必要はなく、光ディスク２を用いて受光素子７の取付位置調整を行っても良い。
【図面の簡単な説明】
【００６６】
【図１】本発明の実施の形態１にかかる光ヘッド装置の概略構成を模式的に示す概略構成図である。
【図２】図１に示す光ヘッド装置を上面側から見たときの斜示図である。
【図３】図１に示す光ヘッド装置の底面図である。
【図４】図１に示す光ヘッド装置の受光素子及び導光ミラーの取付部を拡大して示す側面図である。
【図５】本発明の実施の形態２にかかる光ヘッド装置を上面側から見たときの斜示図である。
【図６】図５に示す光ヘッド装置を底面側からみたときの斜視図である。
【図７】図５に示す光ヘッド装置の第２フレーム上に光学系が載置された状態を底面側から示す斜示図である。
【符号の説明】
【００６７】
１、５１  光ヘッド装置
２  光ディスク
６  本体フレーム
６ａ  上面
６ｂ  底面
６ｅ  受光素子載置部
６ｆ  導光ミラー載置部
７  受光素子
７ａ  受光面
９  対物レンズ
２１  導光ミラー
２６  ミラーホルダ
３１  第１のレーザ発光素子
３２  第２のレーザ発光素子
６１  第１フレーム（本体フレーム）
６２  第２フレーム（本体フレーム）
【図１】
2006053960.tif 000003
【図２】
2006053960.tif 000004
【図３】
2006053960.tif 000005
【図４】
2006053960.tif 000006
【図５】
2006053960.tif 000007
【図６】
2006053960.tif 000008
【図７】
2006053960.tif 000009